(57)【特許請求の範囲】
【請求項１】
用紙に画像を形成する画像形成手段と、
前記画像形成手段を制御する制御手段と、
前記制御手段への電力の供給が停止された状態で前記画像形成手段に制御信号を出力する信号出力手段と、を備え、
電力の供給が停止された前記画像形成手段へ電力を供給する場合に、（ａ）前記信号出力手段から前記画像形成手段に前記制御信号が出力される場合には、前記制御手段への電力の供給が停止された状態で前記画像形成手段が第１のモードで動作し、（ｂ）前記信号出力手段から前記画像形成手段に前記制御信号が出力されない場合には、前記画像形成手段が第２のモードで動作する、ことを特徴とする画像形成装置。
【請求項２】
前記第１のモードは、前記画像形成手段が特定の動作を実行し且つ前記画像形成手段が用紙に画像を形成しないモードであり、
前記第２のモードは、前記画像形成手段が用紙に画像を形成するモードである、ことを特徴とする請求項１に記載の画像形成装置。
【請求項３】
前記画像形成手段は、感光ドラムを含み、
前記画像形成手段は、前記特定の動作として、前記感光ドラムを所定の時間間隔で回転させることを特徴とする、請求項２に記載の画像形成装置。
【請求項４】
前記信号出力手段は、ＣＰＬＤ（Complex Programmable Logic Device）であることを特徴とする、請求項１乃至３のいずれか１項に記載の画像形成装置。
【請求項５】
前記信号出力手段は、設定されたタイマ値に従って前記制御信号を前記画像形成手段に出力することを特徴とする、請求項１乃至４のいずれか１項に記載の画像形成装置。
【請求項６】
前記制御手段は、前記タイマ値を設定する、ことを特徴とする請求項５に記載の画像形成装置。
【請求項７】
前記信号出力手段は、設定されたタイマ値に従って前記制御信号を前記画像形成手段に出力すると共に、電力の供給が停止された前記画像形成手段へ電力を供給するための電力制御信号を出力する、ことを特徴とする請求項５又は６に記載の画像形成装置。
【請求項８】
前記信号出力手段は、前記制御手段または前記画像形成手段へ電力を供給するための電力制御信号を出力する、ことを特徴とする請求項１乃至６の何れか１項に記載の画像形成装置。
【請求項９】
前記制御手段に電力を供給する電源部と前記制御手段との間に設けられる第１スイッチをさらに備え、
前記信号出力手段から出力される前記電力制御信号によって、前記第１スイッチがオン状態またはオフ状態となる、ことを特徴とする請求項８に記載の画像形成装置。
【請求項１０】
前記画像形成手段に電力を供給する電源部と前記画像形成手段との間に設けられる第２スイッチをさらに備え、
前記信号出力手段から出力される前記電力制御信号によって、前記第２スイッチがオン状態またはオフ状態となる、ことを特徴とする請求項８に記載の画像形成装置。
【請求項１１】
電力を供給する電源部と前記制御手段との間に設けられる第１スイッチと、
前記電源部と前記画像形成手段との間に設けられる第２スイッチと、をさらに備え、
前記信号出力手段から出力される前記電力制御信号によって、前記第１スイッチおよび前記第２スイッチがオン状態またはオフ状態となる、ことを特徴とする請求項８に記載の画像形成装置。
【請求項１２】
前記信号出力手段から出力される前記制御信号は、前記制御手段を介さずに、前記画像形成手段に入力される、ことを特徴とする請求項１乃至１１のいずれか１項に記載の画像形成装置。
【請求項１３】
画像データを記憶するハードディスクユニットをさらに備え、
前記信号出力手段は、前記ハードディスクユニットへの電力の供給が停止される状態で前記画像形成手段に前記制御信号を出力する、ことを特徴とする請求項１乃至１２のいずれか１項に記載の画像形成装置。
【請求項１４】
前記制御手段は、画像データを前記画像形成手段に出力する、ことを特徴とする請求項１乃至１３のいずれか１項に記載の画像形成装置。
【請求項１５】
原稿の画像を読み取る読取手段をさらに備え、
前記制御手段は、前記読取手段によって読み取られた画像の画像データを受信する、ことを特徴とする請求項１乃至１４のいずれか１項に記載の画像形成装置。
【請求項１６】
用紙に画像を形成する画像形成手段と、前記画像形成手段を制御する制御手段と、前記画像形成手段に制御信号を出力する信号出力手段と、を備える画像形成装置の制御方法であって、
前記信号出力手段が、前記制御手段への電力の供給が停止される状態で前記画像形成手段に前記制御信号を出力するステップと、
電力の供給が停止された前記画像形成手段へ電力を供給するステップと、
前記画像形成手段へ電力が供給された場合に、（ａ）前記画像形成手段に前記制御信号が出力される場合には、前記制御手段への電力の供給が停止された状態で前記画像形成手段を第１のモードで動作させ、（ｂ）前記画像形成手段に前記制御信号が出力されない場合には、前記画像形成手段を第２のモードで動作させる、ステップと、
を備えることを特徴とする画像形成装置の制御方法。
【請求項１７】
前記第１のモードは、前記画像形成手段が特定の動作を実行し且つ前記画像形成手段が用紙に画像を形成しないモードであり、
前記第２のモードは、前記画像形成手段が用紙に画像を形成するモードである、ことを特徴とする請求項１６に記載の画像形成装置の制御方法。
【請求項１８】
前記画像形成手段は、感光ドラムを含み、
前記画像形成手段は、前記特定の動作として、前記感光ドラムを所定の時間間隔で回転させることを特徴とする、請求項１７に記載の画像形成装置の制御方法。
【発明の詳細な説明】
【技術分野】
【０００１】
本発明は、画像形成装置及びその制御方法に関する。
【背景技術】
【０００２】
複合機等の画像形成装置では、省電力モードに移行してコントローラ部がシャットダウンした後にも、所定時間ごとにプリンタ部の後処理動作が必要になることがある。従来、その後処理動作のためだけに、ハードディスク起動を伴ってコントローラ部を起動していた。
【０００３】
このため、省電力モードでコントローラ部がシャットダウンできる状態であるにもかかわらず、プリンタ部の後処理が実行されている期間中はコントローラ部も通電し動作させていた。
【０００４】
なお、ここでいうプリンタ部の後処理動作とは、例えば以下のようものがある。
【０００５】
・感光ドラムにブレードが長時間当接することにより感光ドラムに跡が残り形成される画像への影響がでることを抑止するために感光ドラムを一定時間毎に回転させる動作
・機内の気体を排出ファンを所定時間回転させることで排出する動作（例えば、特許文献１参照。）
コントローラ部のＣＰＵの処理内容は、複合機として動作するための操作パネル制御、スキャナ制御、画像処理部の制御、ネットワークからの印刷等のコマンドの通信制御、印刷を行うためのプリンタ部と通信制御等である。省電力モード時には、これらの動作は停止するためコントローラ部のＣＰＵへの通電を停止していた。
【０００６】
また、従来は、コントローラ部のＣＰＵが、上述したプリンタ部の後処理を実行するためのプリンタ制御を行っていた。このため、上述したプリンタ部の後処理を実行するときはコントローラ部が起動している必要があった。
【特許文献１】特開平７−１９９７７３号公報
【発明の開示】
【発明が解決しようとする課題】
【０００７】
上述したように、コントローラ部がシャットダウンした後に所定時間ごとにプリンタ動作が必要になることがある。その動作のためだけに、ハードディスク起動を伴ってコントローラを起動させると、起動に時間がかかり、さらにその間に電力が消費され、またハードディスクの起動回数が増え、ハードディスクの寿命に影響を与えてしまう。
【０００８】
なお、ハードディスクの電源を入れないで、ＣＰＵが動作するための基本ＯＳ（例えばＬＩＮＵＸ）を起動しても、基本ＯＳがハードディスクにアクセスしてしまい、ハードディスクに電源を入れない状態では、コントローラ部を起動できないという課題がある。
【０００９】
コントローラ部は省電力のために早めにシャットダウンしたい、また早めにムーバブルハードディスクを取り外して保管したいにもかかわらずコントローラ部が動作しているとハードディスクを取り外すことができず、使い勝手が良くないという課題があった。
【００１０】
また、複合機では、消費電力を削減するために、複合機としての動作後、所定時間後にはプリンタ部、コントローラ部の電源を落とす必要がある。しかるにコントローラ部の電源を落とした後に、プリンタ部を保守するための動作が必要になる場合がある。そのためにコントローラ部を立ち上げてプリンタ部を制御することは、消費電力削減の妨げとなり、コントローラ部、特にハードディスクの消耗が促進されてしまうという課題があった。
【００１１】
本発明は、上記の問題点を解決するためになされたものである。本発明の目的は、画像形成装置が省電力モードで動作する場合に第１制御手段への電力供給を低減しつつ、省電力モードにおいて第１制御手段を用いずに画像形成手段に特定動作を実行させることができる画像形成装置及びその制御方法を提供する。
【課題を解決するための手段】
【００１２】
本発明は、用紙に画像を形成する画像形成手段と、前記画像形成手段を制御する制御手段と、前記制御手段への電力の供給が停止された状態で前記画像形成手段に制御信号を出力する信号出力手段と、を備え、電力の供給が停止された前記画像形成手段へ電力を供給する場合に、（ａ）前記信号出力手段から前記画像形成手段に前記制御信号が出力される場合には、前記制御手段への電力の供給が停止された状態で前記画像形成手段が第１のモードで動作し、（ｂ）前記信号出力手段から前記画像形成手段に前記制御信号が出力されない場合には、前記画像形成手段が第２のモードで動作する、ことを特徴とする。
【発明の効果】
【００１３】
本発明によれば、画像形成装置が省電力モードで動作する場合に第１制御手段への電力供給を低減しつつ、省電力モードにおいて第１制御手段を用いずに画像形成手段に特定動作を実行させることができる画像形成装置及びその制御方法を提供することができる。
【発明を実施するための最良の形態】
【００１４】
〔第１実施形態〕
＜画像形成装置＞
図１は、本発明の一実施形態を示す画像形成装置の外観を示す図である。
【００１５】
図２は、本発明の一実施形態を示す画像形成装置のコントローラの構成を説明するためのブロック図である。
【００１６】
図１，図２において、１３はスキャナ部、１４はプリンタ部である。
【００１７】
スキャナ部１３は、原稿上の画像を露光走査して得られた反射光をＣＣＤに入力することで画像の情報を電気信号に変換する。スキャナ部１３は、さらに前記変換した電気信号をＲ，Ｇ，Ｂ各色からなる輝度信号に変換し、当該輝度信号を画像データとしてコントローラ１１（図２）に対して出力する。
【００１８】
ユーザが操作部１２（図２）から読み取り開始を指示すると、コントローラ１１からスキャナ部１３に原稿読み取り指示が与えられる。この原稿読み取り指示に応じて、スキャナ部１３は、上記原稿読み取り動作を実行し、画像データをコントローラ１１に出力する。
【００１９】
コントローラ１１は、スキャナ部１３から受けとった画像データに画像処理を施してプリンタ部１４に出力する。
【００２０】
プリンタ部１４は、コントローラ１１から受け取った画像データに基づく画像を用紙上に形成する。
【００２１】
＜コントローラ１１＞
図２に示すように、コントローラ１１は、スキャナ部１３やプリンタ部１４と電気的に接続されており、一方では、ＬＡＮ５０を介してＰＣ４０や外部の装置などと接続されている。これにより画像データやデバイス情報の入出力が可能となっている。
【００２２】
ＣＰＵ３０１は、ＲＯＭ３０３に記憶された制御プログラム等に基づいて接続中の各種デバイスとのアクセスを統括的に制御すると共に、コントローラ内部で行われる各種処理についても統括的に制御する。
【００２３】
ＲＡＭ３０２は、ＣＰＵ３０１が動作するためのシステムワークメモリであり、且つ画像データを一時記憶するためのメモリでもある。このＲＡＭ３０２は、記憶した内容を電源ｏｆｆ後も保持しておくＳＲＡＭ、及び、電源ｏｆｆ後には記憶した内容が消去されてしまうＤＲＡＭにより構成されている。ＲＯＭ３０３には、装置のブートプログラムなどが格納されている。
【００２４】
操作部Ｉ／Ｆ３０５は、システムバス３１０と操作部１２とを接続するためのインターフェース部である。この操作部Ｉ／Ｆ３０５は、操作部１２に表示するための画像データをシステムバス３１０から受け取り操作部１２に出力すると共に、操作部１２から入力された情報をシステムバス３１０へと出力する。
【００２５】
ＮｅｔｗｏｒｋＩ／Ｆ３０６は、ＬＡＮ５０及びシステムバス３１０に接続し、情報の入出力を行う。２値画像回転部３０８は、送信前の画像データの方向を変換する。
【００２６】
３４０はハードディスクコントローラであり、システムバス３１０へハードディスクのＡＴＡ信号を変換して接続する。１５は、画像形成装置に標準で装備されるハードディスクユニットであり、ハードディスクコントローラ３４０の先に接続され、ハードディスク３５１へ接続される。このハードディスク３５１には、システムソフトウェアや画像データが格納される。
【００２７】
画像バス３３０は、画像データをやり取りするための伝送路であり、ＰＣＩバスで構成されている。
【００２８】
スキャナ画像処理部３１２は、スキャナ部１３からスキャナＩ／Ｆ３１１を介して受け取った画像データに対して、補正、加工、及び編集を行う。なお、スキャナ画像処理部３１２は、受け取った画像データがカラー原稿か白黒原稿か、若しくは文字原稿か写真原稿かなどを判定し、その判定結果を画像データに付随させる。こうした付随情報を像域データと称する。このスキャナ画像処理部３１２で行われる処理の詳細については後述する。
【００２９】
圧縮部３１３は、スキャナ画像処理部３１２から画像データを受け取り、この画像データを３２画素×３２画素のブロック単位に分割し圧縮する。
【００３０】
画像変換部３１７は、画像データに必要に応じて画像処理を施す。画像データは伸張部３１８により伸張される。伸張処理された画像データは、必要に応じて、回転部３２０、変倍部３２１、色空間変換部３２２、２値多値部３２３、多値２値部３２４、移動部３２５、間引き部３２６、合成部３２７により画像処理が施される。画像処理された画像データは、圧縮部３１９により再び圧縮される。
【００３１】
また、伸張部３１６は、画像データを伸張し、伸張後の複数のタイルデータからなる画像データをラスタ展開する。プリンタ画像処理部３１５は、ラスタ展開された画像データを処理し、プリンタＩ／Ｆ３１４を介してプリンタ部１４に送信する。
【００３２】
なお、図１，図２には示していないが、本実施形態の画像形成装置は、後述する図７に示す電源制御部６１（第２制御部）を備え、コントローラ部１１（第１制御部）やプリンタ部１４等への供給電力の制御を行っている。
【００３３】
＜感光ドラムまわりの説明＞
図３は、図１に示したプリンタ部１４の前ドアを開いた状態を示す図である。以下、この図を用いて、プリンタ部１４の感光ドラムと作像機構の説明をする。
【００３４】
図３において、Ｐ（Ｙ），Ｐ（Ｍ），Ｐ（Ｃ），Ｐ（Ｋ）は、それぞれＹＭＣＫの画像を生成するためのプロセスキットであり感光ドラムと現像器から構成されている。
【００３５】
ＦＡＮは、プリンタ部１４内の空気（画像形成装置内の気体）を排出するための排出ファンである。この排出ファンＦＡＮは、図示しないギヤ駆動によってモータ１４０６（図５）により駆動される。このモータ１４０６は、後述する図５に示すようにプリンタ部１４のＣＰＵ１４０１によって制御される。
【００３６】
図４は、図３に示したプロセスキットＰ（Ｙ），Ｐ（Ｍ），Ｐ（Ｃ），Ｐ（Ｋ）の断面図である。
【００３７】
図４において、Ａは感光ドラムである。Ｂは感光ドラムに当接するクリーニングブレードであり、作像に不要のトナーを感光ドラムＡから除去する。
【００３８】
Ｃは着磁され且つ感光ドラムＡに対して電位をもつように設定された現像スリーブであり、これを介して現像器Ｄ内のトナーを感光ドラムＡへ付着させる。
【００３９】
感光ドラムＡ、現像スリーブＣは、図示しないギヤ駆動によってモータにより駆動される。モータは、各色（Ｙ，Ｍ，Ｃ，Ｋ）毎に設けられており、回路的には後述する図５に示す１４０２，１４０３，１４０４，１４０５であり、プリンタ部１４のＣＰＵ１４０１によって制御される。
【００４０】
なお、感光ドラムＡにクリーニングブレードＢが長時間当接することで、感光ドラムＡに跡が残り、これにより感光ドラムＡにすじ状の像が現像されることがある。なお、所定時間（例えば約１５分程度）ごとに感光ドラムＡを回転して、クリーニングブレードＢの感光ドラムＡに対する当接位置をずらすことで、前述のすじ状の像が現像される現象の発生を防止できることがわかっている。
【００４１】
＜コピー動作及の説明＞
以下、コピー動作について、図２を用いて説明する。
【００４２】
スキャナ部１３で読み取られた原稿は、画像データとしてスキャナＩ／Ｆ３１１を介してスキャナ画像処理部３１２に送られる。スキャナ画像処理部３１２は、この画像データに対してスキャナ画像処理を行う。
【００４３】
続いて、圧縮部３１３は、この画像データを３２画素×３２画素のブロック単位に分割しタイルデータを生成する。さらに、圧縮部３１３は、この複数のタイルデータからなる画像データを圧縮する。圧縮部３１３で圧縮された画像データは、ＲＡＭ３０２に送られ格納される。なお、この画像データは必要に応じて画像変換部３１７に送られ画像処理が施された上で再びＲＡＭ３０２に送られ格納される。
【００４４】
この後、ＲＡＭ３０２から読み出されたデータはハードディスク３５１へ書き込まれる。このとき、ハードディスクコントローラ３４０を介してハードディスク３５１へ書き込まれる。
【００４５】
次に、ハードディスク３５１からデータを読み出すときも、ハードディスクコントローラ３４０を介してバス３１０へ送出される。
【００４６】
その後、バス３１０から画像データは伸張部３１６に送られる。伸張部３１６は、この画像データを伸張する。さらに、伸張部３１６は、伸張後の複数のタイルデータからなる画像データをラスタ展開する。ラスタ展開後の画像データはプリンタ画像処理部３１５に送られる。プリンタ画像処理部３１５において処理された画像データはプリンタＩ／Ｆ３１４を介してプリンタ部１４に送られ、プリンタ部１４にて出力用紙（記録紙）上に画像形成される。
【００４７】
なお、一旦、画像データがハードディスク３５１を経由するのは、ページ入れ換え処理等を実施するために作業領域が必要となることを想定しているためである。
【００４８】
＜ＰＤＬプリント動作の説明＞
以下、ＰＤＬプリント動作について、図２を用いて説明する。
【００４９】
ＬＡＮ５０経由でＰＣ４０より送られたＰＤＬデータは、ＮｅｔｗｏｒｋＩ／Ｆ３０６を介してＲＡＭ３０２に送られ格納される。
【００５０】
ＰＤＬデータはＣＰＵ３０１により解読され、その結果生成された中間データは、ＲＩＰ３２８に送られる。ＲＩＰ３２８は、この中間データをレンダリングしラスタ形式の画像データを生成する。生成されたラスタ形式の画像データは圧縮部３２９に送られる。圧縮部３２９は画像データをブロック単位で分割した後に圧縮する。圧縮後の画像データはＲＡＭ３０２に送られる。
【００５１】
ＲＡＭ３０２に格納されたデータが読み出されてハードディスク３５１へ書き込まれる。バス３１０から取り込まれた画像データはプリンタ部１４に送られ、プリンタ部１４にて出力用紙上に画像形成される。
【００５２】
＜ボックスへの格納動作＞
以下、ボックスへの格納動作について、図２を用いて説明する。
【００５３】
スキャナ部１３で読み取られた原稿は、画像データとしてスキャナＩ／Ｆ３１１を介してスキャナ画像処理部３１２に送られる。スキャナ画像処理部３１２は、この画像データに対してスキャナ画像処理を行う。
【００５４】
続いて、圧縮部３１３は、この画像データを３２画素ｘ３２画素のブロック単位に分割しタイルデータを生成する。さらに圧縮部３１３は、この複数のタイルデータからなる画像データを圧縮する。圧縮部３１３で圧縮された画像データはＲＡＭ３０２に送られ格納される。なお、この画像データは必要に応じて画像変換部３１７に送られ画像処理が施された上で再びＲＡＭ３０２に送られ格納される。
【００５５】
この後ＲＡＭ３０２から読み出されたデータは、ユーザの設定に応じてファイル名称を付され、ハードディスク上の所定のディレクトリへ書き込まれる。
【００５６】
＜電源制御部＞
以下、複合機としての動作終了後に通常電力モードから省電力モードに入り、省電力モード中にも感光ドラムを間欠的に回転させる処理を実行する処理手順を説明する。
【００５７】
図５は、本発明の画像形成装置の電源制御構成を説明するためのブロック図である。なお、図２と同一のものには同一の符号を付してある。
【００５８】
図５において、６１は電源制御部（電源制御ユニット）であり、電源６０から常時電源が供給されている（電源Ｊ（常夜）６０１）。なお、電源制御部６１は消費電力の微弱な素子で構成される。省電力モード時であっても、この電源制御部６１は通電され、この電源制御部６１によりコントローラ部１１（コントローラユニット）及びプリンタ部１４（プリンタユニット）の電力供給制御が行われる。
【００５９】
なお、図５におけるコントローラ部１１とプリンタ部１４は、図２に示すように通信可能に構成されている。そして、画像形成装置が通常電力モードで動作する場合はコントローラ部１１がプリンタ部１４を制御可能な通常電力状態となるよう電源６０が電源制御部６１により制御される。即ち、コントローラ部１１は、画像形成装置が通常電力モードで動作する場合は、プリンタ部の感光ドラムの回転や、排出ファンＦＡＮの回転を制御することができる。また、画像形成装置が省電力モードで動作する場合はコントローラ部１１がプリンタ部１４を制御不能な省電力状態となるよう電源６０が電源制御部６１により制御される。ここでいう省電力状態とは、コントローラ部１１への電力供給が遮断される状態をいう。
【００６０】
電源制御部６１において、３６０はＣＰＬＤであり、予め下記に示す所望の動作を実行するようプログラムされている。なお、ＣＰＬＤとは、Complex Programmable Logic Deviceを示し、プログラミング可能な電気回路である。
【００６１】
ＣＰＬＤ３６０は、ＣＰＵ３０１から通信により複数のタイマ値が設定され、タイマ起動時にはＣＰＵ３０１によって設定された動作を実行する。また、ＣＰＬＤ３６０は、ＣＰＵ３０１の指示によって所定のＩＯ信号を動作させることができる。
【００６２】
このＩＯ信号のうち、６０８はプリンタ部１４のＣＰＵ１４０１へ接続されたＤＣＯＮ_ＷＡＫＥ信号（起動制御信号）である。このＤＣＯＮ_ＷＡＫＥ信号６０８がアサートされた状態（オン状態）でプリンタ部１４の電源が投入されると、プリンタ部１４は複合機の製品動作ではなく、ローラ回転（第２実施形態では排熱処理）という特定動作（保守動作）のみを実行するモードで起動する。一方、このＤＣＯＮ_ＷＡＫＥ信号６０８がネゲートされた状態（オフの状態）でプリンタ部１４の電源が投入されると、プリンタ部１４は複合機の製品動作を実行するモードで起動する。
【００６３】
また、６０２はＶ_ＯＮ信号である。Ｖ_ＯＮ信号６０２によってスイッチ６０３を開閉することにより、コントローラ部１１への給電（電源Ｖ（非常夜）６０４）が制御される。
【００６４】
また、６０５はＰ_ＯＮ信号である。このＰ_ＯＮ信号６０５によってスイッチ６０６を開閉することにより、プリンタ部１４への給電（電源Ｐ（非常夜）６０７）が制御される。
【００６５】
さらに、６０９はプリンタ部１４のＣＰＵ１４０１から電源制御部６１へのＩＮＴ_ＤＣＯＮ信号である。このＩＮＴ_ＤＣＯＮ信号６０９は、コントローラ部１１のＣＰＵ３０１が動作しておらずプリンタ部１４が動作している場合に、プリンタ部１４のＣＰＵ１４０１から例えばローラ温度異常或いはモータ停止等の異常を電源制御部６１に通知する信号である。
【００６６】
＜省電力時の動作＞
上述したコピー動作、ＰＤＬプリント動作、ボックスへの格納動作等の各種動作が終了して所定時間（例えば４分）が経過した後や、ユーザから操作部１２を介してコントローラ部１１のシャットダウン指示（即ち、省電力モードへの移行指示）が行われたときに、画像形成装置は省電力モードへ移行する。
【００６７】
以下、本実施形態の画像形成装置の動作の一例を図６，図７，図８に示す。
【００６８】
また、本実施形態の画像形成装置の状態の遷移を図９に示す。
【００６９】
図６は、コントローラ部１１のＣＰＵ３０１の省電力モードへ移行時のシーケンスを示すフローチャートである。なお、このフローチャートの処理は、コントローラ部１１のＣＰＵ３０１がＲＯＭ３０３に格納されたプログラムを実行することにより実現されるものである。
【００７０】
コントローラ部１１のＣＰＵ３０１が、動作（プリント等の複合機の製品動作）が終了して所定時間が経過したり、ユーザ指示等により、省電力モードへ移行すべきであると判断したとき、ステップＳ１０１に処理を進める。
【００７１】
ステップＳ１０１では、コントローラ部１１のＣＰＵ３０１は、ＣＰＬＤ３６０へ「タイマ１」の値として所定の値（例えば「１０分」という値）をセットする。これによりプリンタ部１４の後処理動作を実行するタイミングの設定が可能となる（タイミング設定ステップ）。
【００７２】
次に、ステップＳ１０２において、コントローラ部１１のＣＰＵ３０１は、ＣＰＬＤ３６０を介してＤＣＯＮ_ＷＡＫＥ信号をネゲート（オフ）する。
【００７３】
次に、ステップＳ１０３において、コントローラ部１１のＣＰＵ３０１は、ＣＰＬＤ３６０を介してＰ_ＯＮ信号をネゲートしプリンタ電源を切断する（プリンタ電源オフ）。
【００７４】
次に、ステップＳ１０４において、コントローラ部１１のＣＰＵ３０１は、コントローラ部１１をシャットダウンする。この際、V_ＯＮ信号がネゲートされコントローラ部１１への電力供給が遮断される。即ち、画像形成装置は省電力モード状態（図９の７０２）となる。
【００７５】
この後、電源制御部６１のＣＰＬＤ３６０は、上記「タイマ１」にセットした時間が経過したことを起動要因として、図７に示す処理を起動させることになる。
【００７６】
図７は、感光ドラムＡにすじ状の像が発生するのを防止するために感光ドラムＡを回転させるためのシーケンスを示すフローチャートである。なお、このフローチャートの処理は、電源制御部６１のＣＰＬＤ３６０が内部に記録されたプログラム（論理回路）に基づいて動作することにより実現されるものである。
【００７７】
ＣＰＬＤ３６０は、起動要因が発生すると、ステップＳ２０１に処理を進める。
【００７８】
ステップＳ２０１では、ＣＰＬＤ３６０は、ＣＰＬＤ３６０の「タイマ１」による起動か否かをＣＰＬＤ３６０内のロジックによって判定する。そして、「タイマ１」による起動でないと判定した場合には、通常のスタンバイ状態（後述する図９の７０１）に移行する（Ｓ２０８）。
【００７９】
一方、上記ステップＳ２０１において、ＣＰＬＤ３６０の「タイマ１」による起動であると判定した場合には、ＣＰＬＤ３６０は、ステップＳ２０２以降へ処理を進める。
【００８０】
ステップＳ２０２では、ＣＰＬＤ３６０は、「タイマ２」の値として所定の値（例えば「１分」という値）をセットする。
【００８１】
次に、ステップＳ２０３において、ＣＰＬＤ３６０は、ＤＣＯＮ_ＷＡＫＥ信号をアサート（オン）する。
【００８２】
さらに、ステップＳ２０４において、ＣＰＬＤ３６０は、Ｐ_ＯＮ信号をアサートすることにより、プリンタ部１４に電力供給を開始する（プリンタ電源オン）。これにより、プリンタ部１４が起動されて後述する図８の処理を実行することとなる。
【００８３】
次に、ステップＳ２０５において、ＣＰＬＤ３６０は、ＣＰＬＤ３６０の「タイマ２」がタイムアップするまで待機し、「タイマ２」がタイムアップすると、ステップＳ２０６に処理を進める。
【００８４】
ステップＳ２０６では、ＣＰＬＤ３６０は、ＤＣＯＮ_ＷＡＫＥ信号をネゲート（オフ）し、「タイマ１」へ所定の値（例えば１０分という値）を設定する。これによりプリンタ部１４の後処理動作を実行するタイミングの設定が可能となる（タイミング設定ステップ）。
【００８５】
次に、ステップＳ２０７において、ＣＰＬＤ３６０は、Ｐ_ＯＮ信号をネゲートすることにより、プリンタ部１４の電源供給を停止する（プリンタ電源オフ）。そして、再び、上記「タイマ１」にセットした時間が経過したことを起動要因として、ＣＰＬＤ３６０は、図７に示す処理を起動させることになる。即ち、一定時間毎にプリンタ部１４の感光ドラムを回転させる動作を行うことになる。
【００８６】
図８は、省電力中にプリンタ部１４が感光ドラムＡの回転を実行する場合のシーケンスを示すフローチャートである。なお、このフローチャートの処理は、プリンタ部１４のＣＰＵ１４０１が不図示のＲＯＭに格納されたプログラムを実行することにより実現されるものである。
【００８７】
プリンタ部１４に電源が投入され（例えば、図７のＳ２０４）、プリンタ部１４が起動すると、プリンタ部１４のＣＰＵ１４０１は、ステップＳ３０１に処理を進める。
【００８８】
ステップＳ３０１では、プリンタ部１４のＣＰＵ１４０１は、ＤＣＯＮ_ＷＡＫＥ信号がアサート（オン）されているか否かを判定し、アサートされていなければ印刷のためのスタンバイに移行する（Ｓ３０５）。
【００８９】
一方、ＤＣＯＮ_ＷＡＫＥ信号がアサートされていれば、プリンタ部１４のＣＰＵ１４０１は、ステップＳ３０２に処理を進める。
【００９０】
ステップＳ３０２では、プリンタ部１４のＣＰＵ１４０１は、特殊モードの「感光ドラム回転モード」へ移行し、感光ドラムＡの回転を行う。この際、プリンタ部１４のＣＰＵ１４０１は、「回転タイマ」へ所定の値（例えば１分）を設定しておく。
【００９１】
感光ドラム回転モードとは、感光ドラムＡ（図４）にクリーニングブレードＢ（図４）が長時間当接することにより、感光ドラムＡ上にすじ状の像が現像されることを防止するための動作を行うモードである。感光ドラム回転モードでは、所定時間ごとに感光ドラム回転モードに移行して、感光ドラムＡを回転することで上述のすじ状の像が現像されることを防止する。
【００９２】
次に、ステップＳ３０３において、プリンタ部１４のＣＰＵ１４０１は、「回転タイマ」がタイムアップするまで待機し、感光ドラムＡに必要な回転を実行する（図９の７０３）。
【００９３】
そして、「回転タイマ」がタイムアップしたら（Ｓ３０３でＹ）、プリンタ部１４のＣＰＵ１４０１は、ステップＳ３０４において、感光ドラムＡの回転を終了し、シーケンスを終了する。
【００９４】
以下、プリンタ後処理動作についてまとめる。
【００９５】
＜プリンタ後処理動作＞
所定時間ごとのプリンタのローラ回転を実行する方法で以下の手順による。
【００９６】
スリープ状態からＣＰＬＤ３６０が「ＤＣＯＮ_ＷＡＫＥ信号」をアサートしつつ、Ｐ−ＯＮ信号をアサートしてプリンタ電源をオンする。
【００９７】
プリンタ部１４は、この条件の時には（電源投入時に「ＤＣＯＮ_ＷＡＫＥ信号」がオンの時には）、予め決められた時間内で、ブートアップからローラ回転そして回転終了までの動作を実行するように構成されている。
【００９８】
電源制御部６１のＣＰＬＤ３６０のタイマは、予め前記プリンタ部１４の動作時間を見込んでおいて、ローラ回転終了後の充分な時間経過後にプリンタ電源をオフし、これを繰り返し動作するように設定される。
【００９９】
なお、このようにコントローラ部１１のＣＰＵ３０１が動作しておらず、プリンタ部１４のみが動作している場合に、プリンタ部１４から例えばローラ温度異常あるいはモータ停止等の異常を通知する必要が生じた場合、プリンタ部１４は、ＩＮＴ_ＤＣＯＮ信号をアサートしてこの旨をＣＰＬＤ３６０へ通知する。これに応じて、ＣＰＬＤ３６０がＶ_ＯＮ信号をアサートすることで、コントローラ部１１のＣＰＵ３０１を起動することができる。そして、コントローラ部１１のＣＰＵ３０１がプリンタ部１４から異常通知を受け取って操作パネル等にメッセージを表示する等の対応を行うことができる。即ち、電源制御部６１のＣＰＬＤ３６０は、特定動作（後処理動作）の実行中にプリンタ部１４から異常の通知を受け取ると、コントローラ部１１への電力供給を開始してコントローラ部１１を起動させる。
【０１００】
＜プリンタ後処理動作中の起動＞
以下、上述のローラ回転期間中に、プリンタ部１４への印刷ジョブ等が投入されたときの動作について説明する。
【０１０１】
ジョブが投入される際には、ＣＰＬＤ３６０に対してジョブ投入指示が入り、コントローラ部１１のＣＰＵ３０１にジョブによる起動が通知される。ＣＰＬＤ３６０は、ＤＣＯＮ_ＷＡＫＥ信号をネゲートし、Ｐ_ＯＮ信号を一旦ネゲートした後アサートする。これにより、特殊モード（感光ドラム回転モード）で動作していたプリンタ部１４は、一旦電源オフとなり（即ち、プリンタ後処理動作が中断され）、再び、製品動作モードとして起動し、上記投入されたジョブの実行が可能となる。
【０１０２】
＜省電力モード時のネットワーク処理＞
図５には示していないが、省電力モード時であってもネットワークコントローラ（ＮｅｔｗｏｒｋＩ／Ｆ３０６）には電源６０からの電力供給はなされている。
【０１０３】
そして、省電力モード時には、ネットワークコントローラが、特定のパケットに対しては直接応答する構成となっている。この直接応答時には、コントローラ部１１を起動されることなく、プリンタ部１４の後処理は続行される。
【０１０４】
一方、ネットワークコントローラが、コントローラ部１１を起動する必要のあるパケットを受信したときには、ネットワークコントローラはＣＰＬＤ３６０を介して、コントローラ部１１を起動する構成としている。このコントローラ部１１を起動する必要のあるパケットが、プリンタ部１４への印刷ジョブである場合には、上述したように、プリンタ部１４の後処理は中断され、印刷ジョブが実行される。
【０１０５】
以上説明したように、本実施形態の画像形成装置では、プリンタの後処理を実行するときにはコントローラ部１１のＣＰＵ３０１を起動することなく、消費電力の微弱な素子だけで構成される電源制御部６１を稼動させておく。さらに、電源制御部６１のＣＰＬＤ３６０は、プリンタ部１４をタイマ起動するとともに後処理実行モードであることも同時に通知することで、プリンタ部１４単独で（コントローラ部１１を起動することなく）後処理を実行させることができる。
【０１０６】
したがって、コントローラ部１１がシャットダウンした後、所定時間ごとにプリンタ部１４の保守動作を行う際にも、コントローラ部１１を起動することなくプリンタ部１４の保守動作を行うことができる。よって、このプリンタ部１４の保守動作の間の消費電力を従来よりも抑えることができる。また、このプリンタ部１４の保守動作時にコントローラ部１１が起動されないため、ハードディスクが起動されることもない。このため、従来より、ハードディスクの起動回数を抑え、起動回数の増加によるハードディスクの寿命短縮を防止することができる。
【０１０７】
また、上記プリンタ部１４の保守動作時にコントローラ部１１を動作させないことにより、省電力状態に移行後、コントローラ部１１に接続されるムーバブルハードディスクを取り外して保管することができ、使い勝手を良くすることができる。
【０１０８】
〔第２実施形態〕
本発明の第２実施形態では、ジョブ終了後の機内に滞留しているオゾン或いは定着器の余熱を排出するための動作モードの実現方法の説明を行う。
【０１０９】
オゾンが機内に滞留すると感光ドラムＡと反応することで画像不良が発生する可能性があり、或いは、機内に定着器による余熱が滞留するとトナーが固着する可能性がある。
【０１１０】
そのため、ジョブが継続した時間あるいは機内の温度に応じて、画像形成装置がシャットダウンするときには、所定時間の間、プリンタ部内の気体を排出するモードを設ける必要がある。なお、機内の気体の排出は、排出ファンＦＡＮ（図３）により行う。
【０１１１】
図１０は、本発明の第２実施形態の画像形成装置の動作の一例を示すフローチャートである。なお、図１０のＳ４０１，Ｓ４０３の処理は、プリンタ部１４のＣＰＵ１４０１が不図示のＲＯＭに格納されたプログラムを実行することにより実現されるものである。また、Ｓ４０２の処理は、コントローラ部１１のＣＰＵ３０１がＲＯＭ３０３に格納されたプログラムを実行することにより実現されるものである。また、Ｓ４０４〜Ｓ４０６の処理は、電源制御部６１のＣＰＬＤ３６０が内部のフラッシュメモリに格納されたプログラムに基づいて動作することにより実現されるものである。
【０１１２】
図１１は、本発明の第２実施形態の画像形成装置の状態の遷移を示す図である。
【０１１３】
省電力モードへ移行する前に、プリンタ部１４のＣＰＵ１４０１は、ステップＳ４０１において、コントローラ部１１へ、廃熱に必要な排出ファンＦＡＮの回転時間（即ち、排出ファンの駆動時間）を通知する。
【０１１４】
この通知を受けて、コントローラ部１１のＣＰＵ３０１は、ステップＳ４０２において、ＣＰＬＤ３６０へ「タイマ３」の値としてステップＳ４０１で通知を受けた排出ファンの駆動時間（ここでは例えば「５０分」という値）を設定する。これにより排出ファンの駆動時間の設定が可能となる（駆動時間設定ステップ）。
【０１１５】
次に、ステップＳ４０３において、プリンタ部１４のＣＰＵ１４０１は、省電力モード時の排出ファンの動作を開始する。なお、ここでは排出ファン動作開始としているが、プリンタ部１４では、通電時（省電力モードでない時）、排出ファンＦＡＮを動作させているので、動作としては排出ファンＦＡＮの継続動作となる。即ち、プリンタ部１４では、省電力モードへの移行を認識したときも排出ファンＦＡＮの動作を継続する。
【０１１６】
ステップＳ４０４において、ＣＰＬＤ３６０は、Ｖ_ＯＮ信号をネゲートしてコントローラ部１１の電源をオフする。
【０１１７】
次に、ステップＳ４０５において、ＣＰＬＤ３６０は、「タイマ３」がタイムアップするまで待機し、「タイマ３」がタイムアップしたと判定した場合には、ＣＰＬＤ３６０は、ステップＳ４０６に処理を進める。
【０１１８】
ステップＳ４０６では、ＣＰＬＤ３６０は、Ｐ_ＯＮ信号をネゲートしてプリンタ部１４の電源をオフする。
【０１１９】
本実施形態においても、省電力モード時のプリンタ部１４の保守動作の間、コントローラ部１１が起動されないため、消費電力を従来よりも抑えることができる。また、このプリンタ部１４の保守動作時にコントローラ部１１が起動されないため、ハードディスクが起動されることもない。このため、従来より、ハードディスクの起動回数を抑え、起動回数の増加によるハードディスクの寿命短縮を防止することができる。
【０１２０】
また、上記プリンタ部１４の保守動作時にコントローラ部１１を動作させないことにより、省電力状態に移行後、コントローラ部１１に接続されるムーバブルハードディスクを取り外して保管することができ、使い勝手を良くすることができる。
【０１２１】
〔第３実施形態〕
上記第１実施形態では、プリンタ部１４が起動したとき、ＤＣＯＮ_ＷＡＫＥ信号のレベル（オン／オフ）でプリンタ部１４の動作モードが決定されるものであった。
【０１２２】
本発明の第３実施形態では、ＤＣＯＮ_ＷＡＫＥ信号のレベルを複数設定可能とする。例えば、プリンタ部１４が起動したとき、ＤＣＯＮ_ＷＡＫＥ信号が「１Ｖ」の場合はローラ回転モード、「２Ｖ」の場合は他の動作モードで起動するにように、プリンタ部１４のＣＰＵ１４０１が制御する構成とする。
【０１２３】
また、プリンタ部１４の起動時の動作モードを類別するために、ＤＣＯＮ_ＷＡＫＥ信号をパルス信号の組み合わせとするように構成してもよい。即ち、プリンタ部１４が起動したとき、ＤＣＯＮ_ＷＡＫＥ信号が第１のパルス信号パターンの場合はローラ回転モード、第２のパルス信号パターンの場合は他の動作モードで起動するにように、プリンタ部１４のＣＰＵ１４０１が制御する構成とする。
【０１２４】
〔第４実施形態〕
図１２は、本発明の第４実施形態を示す画像形成装置のコントローラ部１１の構成を示すブロック図である。なお、図５と同一のものには同一の符号を付してある。
【０１２５】
図１２に示すように、ＣＰＵ３０１は、ＩＤＥでハードディスクと接続されるが、ＩＤＥセレクタ３９２によって、ハードディスク３９３（磁気記憶装置）と半導体ディスク３９４（半導体記憶装置）のＩＤＥ信号が切り替えられる。このＩＤＥセレクタ３９２によるＩＤＥ信号の切り替えは、ＣＰＬＤ３６０から出力されるＨＤＤ制御信号（選択制御信号）３９７によって制御される。ＩＤＥセレクタ３９２は、ＨＤＤ制御信号３９７が第１レベル（例えばオン）の状態でハードディスク３９３を選択し、ＨＤＤ制御信号３９７が第２レベル（例えばオフ）の状態で半導体ディスク３９４を選択するように構成される。また、ＨＤＤ制御信号３９７はスイッチ３９５，３９６に接続されており、ＩＤＥセレクタ３９２の切り替えと同期してスイッチ３９５，３９６によってハードディスク３９３への給電か、半導体ディスク３９４への給電かを切り替える構成となっている。
【０１２６】
本実施形態では、コントローラのＢＯＯＴ用ディスクとして、ハードディスク３９３と半導体ディスク３９４の２種を用意しておき、システムの起動要因によって起動に使用するディスクを選択する。
【０１２７】
ハードディスク３９３には、製品として使用するためのシステムプログラム（製品として使用するための通常の機能を制御するプログラム）とユーザデータが格納されており、容量は大容量（ここでは例えば８０ＧＢ）である。ハードディスクは、オフ／オン回数が寿命の規定にあるため、頻繁なオフ／オンは適さない。一方、頻繁なオフ／オンに耐えられるものとして半導体ディスクがある。
【０１２８】
しかし、半導体ディスクは、コスト面から容量を大きくすることができない。ここでは、半導体ディスク３９４を１ＧＢとしている。半導体ディスク３９４には、小容量のプログラムを格納しておく。具体的には、省電力中のプリンタの感光ドラムの定期的な回転あるいはジョブ後の機内の気体の排気動作等のプリンタ部１４の特定動作（保守動作）を制御するプログラムである。
【０１２９】
コントローラ１１は、ハードディスク３９３から読み出されるプログラムにより起動する通常モード（第１モード）、又は、半導体ディスク３９４から読み出されるプログラムにより起動する保守動作モード（第２モード）で起動可能である。
【０１３０】
以下、本実施形態の画像形成装置の動作の一例を図１３，図１４に示す。
【０１３１】
図１３は、コントローラ部１１のＣＰＵ３０１の省電力モードへ移行時のシーケンスを示すフローチャートである。なお、このフローチャートの処理は、コントローラ部１１のＣＰＵ３０１がＲＯＭ３０３に格納されたプログラムを実行することにより実現されるものである。
【０１３２】
コントローラ部１１のＣＰＵ３０１が、動作（プリント等の複合機の製品動作）が終了して所定時間が経過したり、ユーザ指示等により、省電力モードへ移行すべきであると判断したとき、ステップＳ５０１に処理を進める。
【０１３３】
ステップＳ５０１では、コントローラ部１１のＣＰＵ３０１は、ＣＰＬＤ３６０へ「タイマ１」の値として所定の値（ここでは例えば「１０分」という値）をセットする。
【０１３４】
次に、ステップＳ５０２において、コントローラ部１１のＣＰＵ３０１は、ＣＰＬＤ３６０を介してＰ_ＯＮ信号をネゲートしプリンタ電源を切断（オフ）する。
【０１３５】
次に、ステップＳ５０３において、コントローラ部１１のＣＰＵ３０１は、コントローラ部１１をシャットダウンする。この際、V_ＯＮ信号がネゲートされコントローラ部１１への電力供給が遮断される。即ち、画像形成装置は省電力モード状態となる。
【０１３６】
この後、ＣＰＬＤ３６０は、上記「タイマ１」にセットした時間が経過したことを起動要因として、図１４に示す処理を起動させることになる。
【０１３７】
図１４は、排出ファンＦＡＮを回転させるためのシーケンスを示すフローチャートである。なお、図１４のＳ６０１，S６０２の処理は、電源制御部６１のＣＰＬＤ３６０が内部のフラッシュメモリに格納されたプログラムに基づいて動作することにより実現されるものである。また、図１４のＳ６０３〜S６０６の処理は、コントローラ部１１のＣＰＵ３０１がＲＯＭ３０３に格納されたプログラムを実行することにより実現されるものである。
【０１３８】
ＣＰＬＤ３６０は、起動要因が発生すると、ステップＳ６０１に処理を進める。
【０１３９】
ステップＳ６０１では、ＣＰＬＤ３６０は、ＣＰＬＤ３６０の「タイマ１」による起動か否かをＣＰＬＤ３６０内のロジックによって判定し、「タイマ１」による起動でないと判定した場合には、通常のスタンバイ状態に移行する（Ｓ６０７）。詳細には、ＣＰＬＤ３６０は、ＨＤＤ制御信号３９７を第１レベルとし、起動デバイスとしてハードディスク３９３を選択し、Ｖ_ＯＮ信号をアサートすることにより、プリンタ部１４に電力供給を開始する。これにより、コントローラ部１１のＣＰＵ３０１がハードディスク３９３からブートプログラムを読み出し実行して起動し（通常モードで起動し）、通常のスタンバイ状態に移行する。
【０１４０】
一方、上記ステップＳ６０１において、ＣＰＬＤ３６０の「タイマ１」による起動であると判定した場合には、ＣＰＬＤ３６０は、ステップＳ６０２以降へ処理を進める。
【０１４１】
ステップＳ６０２では、ＣＰＬＤ３６０は、ＨＤＤ制御信号３９７を第２レベルとし、起動デバイスとして半導体ディスク３９４を選択し、Ｖ_ＯＮ信号をアサートすることにより、プリンタ部１４に電力供給を開始する。これにより、コントローラ部１１のＣＰＵ３０１が半導体ディスク３９４からブートプログラムを読み出し実行して起動する（保守動作モードで起動する）。以降、コントローラ部１１のＣＰＵ３０１は、半導体ディスク３９４から読み出されたプログラムに従って処理を実行する
ステップＳ６０３において、コントローラ部１１のＣＰＵ３０１は、ＣＰＬＤ３６０を介してＰ_ＯＮ信号をアサートすることにより、プリンタ部１４に電力供給を開始する（プリンタ電源オン）。これにより、プリンタ部１４が起動される。
【０１４２】
次に、ステップＳ６０４において、コントローラ部１１のＣＰＵ３０１は、プリンタ部１４と通信処理を行って、プリンタ部１４に対して、所定時間（ここでは、例えば６０分）排出ファンＦＡＮを回転させるという動作を行わせる。排出ファンＦＡＮの回転動作の実行後は、ステップＳ６０５に処理を進める。
【０１４３】
ステップＳ６０５では、コントローラ部１１のＣＰＵ３０１は、ＣＰＬＤ３６０を介してＰ−ＯＮ信号をネゲートしてプリンタ非常夜電源を切断させる（プリンタ電源オフ）。
【０１４４】
さらに、ステップＳ６０６において、コントローラ部１１のＣＰＵ３０１は、ＣＰＬＤ３６０を介してＶ−ＯＮ信号をネゲートしてコントローラ非常夜電源を切断させる（コントローラ電源オフ）。
【０１４５】
なお、ここでは、ステップＳ６０５，S６０６の処理をコントローラ部１１のＣＰＵ３０１が主体となってＣＰＬＤ３６０に行われる構成について説明したが、ＣＰＬＤ３６０が主体で行う構成でもよい。この場合、コントローラ１１を半導体ディスクからＢＯＯＴして所定時間が経過した際に、ＣＰＬＤ３６０がてＰ−ＯＮ信号及びＶ−ＯＮ信号をネゲートして、プリンタ非常夜電源とコントローラ非常夜電源を切断するように構成する。なお、上記所定時間は、コントローラ１１がＣＰＬＤ３６０のタイマをセットする構成でもよい。
【０１４６】
なお、半導体ディスク３９４に、システムを通常の製品動作の機能を制限した、いわゆる縮退モードで動作するためのプログラム（縮退プログラム）を格納しておくように構成する。さらに、ハードディスク３９３の異常を検出する異常検出機能をＣＰＬＤ３６０又はコントローラ１１内に設ける。そして、この異常検出機能によりハードディスク３９３の異常（故障等）が検出された場合、コントローラ１１への電力供給を一旦遮断して、コントローラ１１を半導体ディスク３９４に格納される縮退プログラムを用いて縮退モードで起動するように構成する。
【０１４７】
以上、第１〜３実施形態によれば、コントローラ１１のＣＰＵ３０１を起動することなく、ＣＰＬＤ３６０が各デバイスの電源制御を行い、コントローラ１１を起動することなくプリンタ部１４に保守動作を実行させることができる。このような構成により、電源制御系を簡素に構築することができ、制御の容易さを実現することができ、装置の小型化、コストダウンだけでなくシステムの安定性に寄与することができる。
【０１４８】
第４実施形態によれば、コントローラ１１を半導体ディスク３９４から起動して（保守動作モードで起動して）、コントローラ１１より制御してプリンタ部１４の保守動作を実行させることにより、プリンタ１４は第１〜３実施形態より柔軟な動作が可能となる。しかも、ハードディスクの起動停止が不要のため、ハードディスクの劣化と起動時間の待ち時間を抑えることができる。
【０１４９】
また、半導体ディスク３９４に縮退プログラムを格納しておくことにより、ハードディスク故障時の縮退モードを実現するための構成と共通にすることができる。
【０１５０】
なお、上述した各種データの構成及びその内容はこれに限定されるものではなく、用途や目的に応じて、様々な構成や内容で構成されることは言うまでもない。
【０１５１】
以上、一実施形態について示したが、本発明は、例えば、システム、装置、方法、プログラム若しくは記憶媒体等としての実施態様をとることが可能である。具体的には、複数の機器から構成されるシステムに適用しても良いし、また、一つの機器からなる装置に適用しても良い。
【０１５２】
なお、以上の実施形態では、画像形成装置について説明したが、本発明は、画像形成装置以外にも適用可能である。例えば、コントローラ部と、該コントローラ部が制御するユニットを有し、省電力モードであっても特定タイミングにおいては、前記ユニットに特定動作を実行させる必要がある装置であれば、どのような装置であっても本発明を適用可能である。
【０１５３】
なお、本実施形態で示した機能が外部からインストールされるプログラムによって、ホストコンピュータにより遂行されていてもよい。そして、その場合、ＣＤ−ＲＯＭやフラッシュメモリやＦＤ等の記憶媒体により、あるいはネットワークを介して外部の記憶媒体から、プログラムを含む情報群を出力装置に供給される場合でも本発明は適用されるものである。
【０１５４】
以上のように、前述した実施形態の機能を実現するソフトウェアのプログラムコードを記録した記憶媒体を、システムあるいは装置に供給する。そして、そのシステムあるいは装置のコンピュータ（又はＣＰＵやＭＰＵ）が記憶媒体に格納されたプログラムコードを読出し実行することによっても、本発明の目的が達成されることは言うまでもない。
【０１５５】
この場合、記憶媒体から読み出されたプログラムコード自体が本発明の新規な機能を実現することになり、そのプログラムコードを記憶した記憶媒体は本発明を構成することになる。
【０１５６】
したがって、プログラムの機能を有していれば、オブジェクトコード、インタプリタにより実行されるプログラム、ＯＳに供給するスクリプトデータ等、プログラムの形態を問わない。
【０１５７】
プログラムを供給するための記憶媒体としては、例えばフレキシブルディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤなどを用いることができる。
【０１５８】
この場合、記憶媒体から読出されたプログラムコード自体が前述した実施形態の機能を実現することになり、そのプログラムコードを記憶した記憶媒体は本発明を構成することになる。
【０１５９】
その他、プログラムの供給方法としては、クライアントコンピュータのブラウザを用いてインターネットのホームページに接続し、該ホームページから本発明のプログラムそのものをハードディスク等の記憶媒体にダウンロードすることによっても供給できる。また、該ホームページから圧縮され自動インストール機能を含むファイルをハードディスク等の記憶媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバやＦＴＰサーバ等も本発明の請求項に含まれるものである。
【０１６０】
また、本発明のプログラムを暗号化してＣＤ−ＲＯＭ等の記憶媒体に格納してユーザに配布する。さらに、所定の条件をクリアしたユーザに対し、インターネットを介してホームページから暗号化を解く鍵情報をダウンロードさせる。さらに、その鍵情報を使用することにより暗号化されたプログラムを実行してコンピュータにインストールさせて実現することも可能である。
【０１６１】
また、コンピュータが読み出したプログラムコードを実行することにより、前述した実施形態の機能が実現されるだけでなく、以下のような構成も含まれることは言うまでもない。例えば、そのプログラムコードの指示に基づき、コンピュータ上で稼働しているＯＳ（オペレーティングシステム）等が実際の処理の一部又は全部を行い、その処理によって前述した実施形態の機能が実現される場合も含まれることは言うまでもない。
【０１６２】
さらに、記憶媒体から読み出されたプログラムコードを、コンピュータに挿入された機能拡張ボードやコンピュータに接続された機能拡張ユニットに備わるメモリに書き込む。そして、該メモリに書き込まれたプログラムコードの指示に基づき、その機能拡張ボードや機能拡張ユニットに備わるＣＰＵ等が実際の処理の一部又は全部を行い、その処理によって前述した実施形態の機能が実現される場合も含まれることは言うまでもない。
【０１６３】
また、本発明は、複数の機器から構成されるシステムに適用しても、１つの機器からなる装置に適用してもよい。また、本発明は、システムあるいは装置にプログラムを供給することによって達成される場合にも適応できることは言うまでもない。この場合、本発明を達成するためのソフトウェアによって表されるプログラムを格納した記憶媒体を該システムあるいは装置に読み出すことによって、そのシステムあるいは装置が、本発明の効果を享受することが可能となる。
【０１６４】
本発明は上記実施形態に限定されるものではなく、本発明の趣旨に基づき種々の変形（各実施形態の有機的な組合せを含む）が可能であり、それらを本発明の範囲から除外するものではない。
【０１６５】
本発明の様々な例と実施形態を示して説明したが、当業者であれば、本発明の趣旨と範囲は、本明細書内の特定の説明に限定されるのではない。
【０１６６】
なお、上述した各実施形態及びその変形例を組み合わせた構成も全て本発明に含まれるものである。
【図面の簡単な説明】
【０１６７】
【図１】本発明の一実施形態を示す画像形成装置の外観を示す図である。
【図２】本発明の一実施形態を示す画像形成装置のコントローラの構成を説明するためのブロック図である。
【図３】図１に示したプリンタ部１４の前ドアを開いた状態を示す図である。
【図４】図３に示したプロセスキットＰ（Ｙ），Ｐ（Ｍ），Ｐ（Ｃ），Ｐ（Ｋ）の断面図である。
【図５】本発明の画像形成装置の電源制御構成を説明するためのブロック図である。
【図６】コントローラ部１１のＣＰＵ３０１の省電力モードへ移行時のシーケンスを示すフローチャートである。
【図７】感光ドラムＡにすじ状の像が発生するのを防止するために感光ドラムＡを回転させるためのシーケンスを示すフローチャートである。
【図８】省電力中にプリンタ部１４が感光ドラムＡの回転を実行する場合のシーケンスを示すフローチャートである。
【図９】本発明の第１実施形態の画像形成装置の状態の遷移を示す図である。
【図１０】本発明の第２実施形態の画像形成装置の動作の一例を示すフローチャートである。
【図１１】本発明の第２実施形態の画像形成装置の状態の遷移を示す図である。
【図１２】本発明の第４実施形態を示す画像形成装置のコントローラ部１１の構成を示すブロック図である。
【図１３】コントローラ部１１のＣＰＵ３０１の省電力モードへ移行時のシーケンスを示すフローチャートである。
【図１４】排出ファンＦＡＮを回転させるためのシーケンスを示すフローチャートである。
【符号の説明】
【０１６８】
１１    コントローラ
１４    プリンタ部
６０    電源
６１    電源制御部
３０１    ＣＰＵ
３６０    ＣＰＬＤ
６０１    電源Ｊ（常夜）
６０２    Ｖ_ＯＮ信号
６０３    スイッチ
６０４    電源Ｖ（非常夜）
６０５    Ｐ_ＯＮ信号
６０６    スイッチ
６０７    電源Ｐ（非常夜）
６０８    ＤＣＯＮ_ＷＡＫＥ信号
６０９    ＩＮＴ_ＤＣＯＮ信号
１４０１  ＣＰＵ
１４０２〜１４０５    モータ
１４０６    ＦＡＮモータ
ＦＡＮ    排出ファン
【図１】
0005473321.tif 000002
【図２】
0005473321.tif 000003
【図３】
0005473321.tif 000004
【図４】
0005473321.tif 000005
【図５】
0005473321.tif 000006
【図６】
0005473321.tif 000007
【図７】
0005473321.tif 000008
【図８】
0005473321.tif 000009
【図９】
0005473321.tif 000010
【図１０】
0005473321.tif 000011
【図１１】
0005473321.tif 000012
【図１２】
0005473321.tif 000013
【図１３】
0005473321.tif 000014
【図１４】
0005473321.tif 000015